(57)【特許請求の範囲】
【請求項１】
商品発注数を記憶する発注数記憶手段と、
数値を置数する置数手段と、
発注商品を特定する商品識別子の入力手段と、
連続発注モードの開始を宣言する開始宣言手段と、
前記連続発注モードの終了を宣言する終了宣言手段と、
前記開始宣言手段により前記連続発注モードの開始が宣言されたことを条件に商品発注数の入力を受付け、前記置数手段により置数された数値を商品発注数として前記発注数記憶手段に書き込む発注数更新手段と、
前記発注数記憶手段に商品発注数が書き込まれたことを条件に前記商品識別子の入力受付を開始し、前記入力手段を介して前記商品識別子が入力される毎にその商品識別子に前記発注数記憶手段で記憶する商品発注数を対応付けて、前記発注商品毎の発注データを作成する発注データ作成手段と、
前記商品識別子の入力受付を開始した後、前記終了宣言手段により終了が宣言されるか前記置数手段により数値が置数されると、前記商品識別子の入力受付を終了して前記発注商品毎の発注データを外部へ出力する発注データ出力手段と、
前記商品識別子の入力受付を、前記終了宣言手段により終了が宣言されて終了した場合には前記発注データを出力した後に前記連続発注モードを解除し、前記置数手段により数値が置数されて終了した場合には前記発注データを出力した後に前記置数手段により置数された数値を前記発注数記憶手段に上書きして前記商品識別子の入力受付を再開する処理手段と、
を具備したことを特徴とする発注装置。
【請求項２】
前記商品発注数を表示する発注数表示手段、をさらに具備し、
前記商品識別子の入力受付を再開する前に前記発注数表示手段で表示される商品発注数を前記置数手段により置数された数値に変更することを特徴とする請求項１記載の発注装置。
【請求項３】
前記発注数記憶手段で記憶する商品発注数が、前記入力を受付けた商品識別子で特定される発注商品に対して設定された発注数の条件を満足するか否かを判定する条件判定手段、
をさらに具備し、
前記発注データ作成手段は、前記発注商品に対して設定された発注数の条件を満足する場合に当該発注商品の発注データを作成することを特徴とする請求項１または２記載の発注装置。
【請求項４】
前記条件は、１回の発注で許容される最大の発注数または最小の発注数の少なくとも一方であることを特徴とする請求項３記載の発注装置。
【請求項５】
商品発注数を記憶する発注数記憶手段、数値を置数する置数手段、発注商品を特定する商品識別子の入力手段、連続発注モードの開始を宣言する開始宣言手段、及び、前記連続発注モードの終了を宣言する終了宣言手段を備えたコンピュータに、
前記開始宣言手段により連続発注モードの開始が宣言されたことを条件に商品発注数の入力を受付け、前記置数手段により置数された数値を前記商品発注数として前記発注数記憶手段に書き込む機能と、
前記発注数記憶手段に商品発注数が書き込まれたことを条件に前記商品識別子の入力受付を開始し、前記入力手段を介して前記商品識別子が入力される毎にその商品識別子に前記発注数記憶手段で記憶する商品発注数を対応付けて、前記発注商品毎の発注データを作成する機能と、
前記商品識別子の入力受付を開始した後、前記終了宣言手段により終了が宣言されるか前記置数手段により数値が置数されると、前記商品識別子の入力受付を終了して前記発注商品毎の発注データを外部へ出力する機能と、
前記商品識別子の入力受付を、前記終了宣言手段により終了が宣言されて終了した場合には前記発注データを出力した後に前記連続発注モードを解除し、前記置数手段により数値が置数されて終了した場合には前記発注データを出力した後に前記置数手段により置数された数値を前記発注数記憶手段に上書きして前記商品識別子の入力受付を再開する機能と、
を実現させるための発注プログラム。
【発明の詳細な説明】
【技術分野】
【０００１】
本発明の実施形態は、商品発注業務を支援する発注装置に関する。
【背景技術】
【０００２】
スーパーマーケットやコンビニエンスストアでは、商品発注業務を支援する発注装置として携帯型の発注端末が利用されている。発注端末は、発注商品を特定する商品識別子、例えばバーコードを入力するための第１の入力デバイスと、商品発注数を入力するための第２の入力デバイスと、商品発注データを送信するための通信ユニットとを備える。そして、第１及び第２の入力デバイスを介して入力された商品識別子と商品発注数とを対応付けて商品発注データを作成し、通信ユニットを介して外部サーバへ送信するように構成されている。
【０００３】
従来のこの種の発注装置は、発注商品毎に商品識別子と発注数とを入力する必要がある。このため、多数の商品を発注する際には、商品識別子の入力と発注数の入力とを交互に繰り返さなければならず、作業者にとって煩雑である。しかも、商品毎に発注数の入力が要求されるため、発注数が誤入力することがある。
【先行技術文献】
【特許文献】
【０００４】
【特許文献１】特開２００６−００４１４３号公報
【発明の概要】
【発明が解決しようとする課題】
【０００５】
本発明が解決しようとする課題は、商品発注業務の簡素化と誤入力の低減とを図り得る発注装置を提供しようとするものである。
【課題を解決するための手段】
【０００６】
一実施形態において、発注装置は、発注数記憶手段と、置数手段と、入力手段と、開始宣言手段と、終了宣言手段と、発注数更新手段と、発注データ作成手段と、発注データ出力手段と、処理手段とを備える。発注数記憶手段は、商品発注数を記憶する。置数手段は、数値を置数する。入力手段は、発注商品を特定する商品識別子を入力する。開始宣言手段は、連続発注モードの開始を宣言する。終了宣言手段は、連続発注モードの終了を宣言する。発注数更新手段は、開始宣言手段により連続発注モードの開始が宣言されたことを条件に商品発注数の入力を受付け、置数手段により置数された数値を商品発注数として発注数記憶手段に書き込む。発注データ作成手段は、発注数記憶手段に商品発注数が書き込まれたことを条件に商品識別子の入力受付を開始し、入力手段を介して商品識別子が入力される毎にその商品識別子に発注数記憶手段で記憶する商品発注数を対応付けて、発注商品毎の発注データを作成する。発注データ出力手段は、商品識別子の入力受付を開始した後、終了宣言手段により終了が宣言されるか置数手段により数値が置数されると、商品識別子の入力受付を終了して発注商品毎の発注データを外部へ出力する。処理手段は、商品識別子の入力受付を、終了宣言手段により終了が宣言されて終了した場合には発注データを出力した後に連続発注モードを解除し、置数手段により数値が置数されて終了した場合には発注データを出力した後に置数手段により置数された数値を発注数記憶手段に上書きして商品識別子の入力受付を再開する。
【図面の簡単な説明】
【０００７】
【図１】一実施形態の発注端末を用いた店舗システムの全体構成図。
【図２】同実施形態において、商品データベースに蓄積される商品データの構造を示す模式図。
【図３】同実施形態における発注端末の要部構成を示すブロック図。
【図４】同実施形態において、発注端末のＲＡＭに形成される主要なメモリエリアを示す図。
【図５】同実施形態において、発注プログラムに従い発注端末のＣＰＵが実行する主要な情報処理手順を示す流れ図。
【図６】図５における商品発注データ作成処理の具体的な処理手順を示す流れ図。
【発明を実施するための形態】
【０００８】
以下、商品発注業務を支援する発注装置の一実施形態について、図面を用いて説明する。なお、本実施形態は、携帯型のコンピュータ機器である情報端末に発注装置としての機能させるための発注プログラムを実装して、前記情報端末を発注端末１０として適用した場合である。
【０００９】
図１は、本実施形態の発注端末１０を用いた店舗システム１の全体構成図である。本システムは、発注端末１０以外に、ストアサーバ２と、複数のＰＯＳ（Point Of Sales）端末３と、ルータ４と、無線基地局５とを備える。そして、ストアサーバ２と、各ＰＯＳ端末３と、ルータ４と、無線基地局５とを、ＬＡＮ（Local Area Network）６で接続する。
【００１０】
ストアサーバ２は、商品データを蓄積するための商品データベース７を管理する。ＰＯＳ端末３は、前記商品データベース７で管理されるデータを基に、客が購入する商品の販売データを登録処理する。各ＰＯＳ端末３で登録された商品販売データは、ＬＡＮ６を通じてストアサーバ２に送信される。ストアサーバ２は、各ＰＯＳ端末３から収集した商品販売データを集計して、店全体の売上データを導出する。
【００１１】
ルータ４は、ＬＡＮ６とインターネット等の外部ネットワーク（不図示）とを接続する。無線基地局５は、移動局である発注端末１０と無線で接続する。ルータ４を介して接続される外部ネットワークには、各店舗から商品の発注を受付ける本部のサーバが少なくとも接続されている。
【００１２】
図２は、商品データベース７に蓄積される商品データの構造を示す模式図である。図２に示すように、商品データは、商品コード、商品名、属性、単価、発注先情報、原価、発注単位及び最大発注数の各項目を少なくとも含む。商品コードは、商品を特定する商品識別子として機能する。
【００１３】
発注単位は、１回の発注で許容される最小の個数である。例えば１ダースを最小の単位として発注が可能な商品の発注単位は“１２”であり、１０個入りのケースを最小の単位として発注が可能な商品の発注単位は“１０”である。例えば、前者の商品は、“１２”、“２４”、“３６”、…というように、発注数が発注単位“１２”の整数倍であれば発注が許容されるが、その他の場合は発注が許容されない。
【００１４】
最大発注数は、１回の発注で許容される最大の発注数である。例えば１ダースを最小の単位とし、１０ダースまで発注が可能な商品の最大発注数は“１０”である。同様に、１０個入りのケースを最小の単位とし、２０ケースまで発注が可能な商品の最大発注数は“２０”である。ここに、発注単位と最大発注数は、発注数が正当な値か否かを判定するための条件となる。
【００１５】
図３は、発注端末１０の要部構成を示すブロック図である。発注端末１０は、コンピュータ本体を構成するＣＰＵ（Central Processing Unit）１１と、主記憶部を構成するＲＯＭ（Read Only Memory）１２及びＲＡＭ（Random Access Memory）１３と、第１の入力デバイスであるキーボード１４と、第２の入力デバイスであるスキャナ１５と、通信ユニットである無線部１６と、表示デバイスであるディスプレイ１７とを備える。
【００１６】
キーボード１４は、商品発注数を入力するためのテンキーの他、連続発注モードの宣言キー及び当該モードの解除キーや、エラーを確認したことを指令する確認キー等のファンクションキーを備える。
【００１７】
通常の発注モードは、発注商品を特定する商品識別子と発注数の入力を受付ける、そして、商品識別子と発注数とが入力される毎に、その商品識別子と発注数とを対応付けた商品発注データを作成して、発注を行う。これに対し、連続発注モードは、先ず、発注数の入力を受付け、次いで、複数の発注商品の各商品識別子の入力を受付ける。そして、商品識別子が入力される毎に、その商品識別子と事前に入力された発注数とをそれぞれ対応付けて商品発注データを作成し、発注を行う。したがって、１商品毎に発注数が異なる場合には通常の発注モードが有効であり、同じ発注数の商品をまとめて発注する場合には連続発注モードが有効である。
【００１８】
スキャナ１５は、各商品にそれぞれ付される情報媒体（例えばバーコード，ＲＦＩＤタグ）から商品コードを読み取る。無線部１６は、前記無線基地局５との間の無線通信を司る。ディスプレイ１７は、スキャナ１５で読み取られた商品コードで特定される商品の商品名や商品発注数などを表示する。
【００１９】
かかる構成の発注端末１０は、図４に示すように、商品コード、商品名、発注先情報、原価及び発注数を少なくとも含む商品発注データを一時的に蓄えるバッファ領域（以下、発注バッファと称する）２１と、連続発注フラグＦのフラグ領域２２と、入力発注数Ｎのメモリ領域（発注数記憶手段：以下、発注数メモリと称する）２３と、商品コード、商品名、発注先情報、原価、発注単位Ａ及び最大発注数Ｂを少なくとも含む商品データのメモリ領域（以下、発注商品メモリと称する）２４とを、ＲＡＭ１３に形成する。
【００２０】
しかして、ＲＯＭ１２に格納された発注プログラムに従い、ＣＰＵ１１が、図５及び図６の流れ図に示す手順の情報処理を実行するものとなっている。  
すなわち、発注プログラムが起動すると、ＣＰＵ１１は、先ず、連続発注モードの宣言有無を判断する（ＳＴ１）。キーボード１４の宣言キーが押下されると、ＣＰＵ１１は、連続発注モードの宣言有りとみなす。宣言キーが押下されない場合は、ＣＰＵ１１は、通常の発注モードとして各部を制御する。
【００２１】
連続発注モードが宣言されると（ＳＴ１のＹＥＳ）、ＣＰＵ１１は、フラグ領域２２の連続発注フラグＦを“１”にセットする（ＳＴ２）。次いで、ＣＰＵ１１は、連続発注モードの終了が宣言されるか（ＳＴ３）、キーボード１４のテンキーによって数値データｎが置数されるのを待機する（ＳＴ４：発注数受付手段）。
【００２２】
連続発注モードの終了が宣言されず（ＳＴ３のＮＯ）、数値データｎが置数されたならば（ＳＴ４のＹＥＳ）、ＣＰＵ１１は、その数値データｎを入力発注数Ｎとして発注数メモリ２３に上書きする（ＳＴ５：発注数更新手段）。また、ＣＰＵ１１は、入力発注数Ｎをディスプレイ１７に表示させる（ＳＴ６）。
【００２３】
次に、ＣＰＵ１１は、連続発注モードの終了が宣言されるか（ＳＴ７：終了判定手段）、商品識別子である商品コードが入力されるのを待機する（ＳＴ８：発注商品受付手段）。スキャナ１５を介して商品コードが入力されると（ＳＴ８のＹＥＳ）、ＣＰＵ１１は、図６の流れ図で示される商品発注データ作成処理を実行する（ＳＴ９）。
【００２４】
先ず、ＣＰＵ１１は、入力された商品コードを含む商品データ問合せコマンドを編集し、ストアサーバ２に無線送信する。このコマンドを受信したストアサーバ２においては、コマンド中の商品コードで商品データベース７が検索され、該当する商品データが呼出されて、コマンド送信元の発注端末１０に送信されるので、ＣＰＵ１１は、受信した商品データから商品コード、商品名、発注先情報、原価、発注単位Ａ及び最大発注数Ｂを抽出して、発注商品メモリ２４で記憶する（ＳＴ２１）。また、ＣＰＵ１１は、少なくとも商品名をディスプレイ１７に表示する。
【００２５】
次に、ＣＰＵ１１は、発注数メモリ２３で記憶する入力発注数Ｎと発注商品メモリ２４で記憶する最大発注数Ｂとを比較する（ＳＴ２２：条件判定手段）。ここで、入力発注数Ｎが最大発注数Ｂを超えると、１回の発注で許容される最大発注数なる条件を満足しないが、入力発注数Ｎが最大発注数Ｂを超えないと、同条件を満足する。
【００２６】
入力発注数Ｎが最大発注数Ｂを超えていない場合（ＳＴ２２のＮＯ）、ＣＰＵ１１は、入力発注数Ｎを発注単位Ａで除算し、その商の余りが“０”であるか否かを判断する（ＳＴ２３：条件判定手段）。ここで、入力発注数Ｎが発注単位Ａの整数倍でなく、余りが生じる場合には、１回の発注で許容される最小発注数なる条件を満足しないが、余りが“０”、つまり入力発注数Ｎが発注単位Ａの整数倍である場合には、同条件を満足する。
【００２７】
入力発注数Ｎを発注単位Ａで除算した商の余りが“０”である場合（ＳＴ２３のＹＥＳ）、ＣＰＵ１１は、発注商品メモリ２４で記憶する商品コード、商品名、発注先情報及び原価と、発注数メモリ２３で記憶する発注数Ｎとを対応付けて、商品発注データを作成する（ＳＴ２４：発注データ作成手段）。そしてＣＰＵ１１は、作成した商品発注データを発注バッファ２１に保存する（ＳＴ２５）。
【００２８】
しかる後、ＣＰＵ１１は、発注商品メモリ２４の商品データをクリアして（ＳＴ２５）、ステップＳＴ７またはＳＴ８の入力待機処理に戻る。このとき、ＣＰＵ１１は、商品名の表示を消去する。
【００２９】
これに対し、発注条件を満足しない場合、すなわち入力発注数Ｎが最大発注数Ｂを超えているか（ＳＴ２２のＹＥＳ）、入力発注数Ｎを発注単位Ａで除算した商の余りが“０”でない場合には（ＳＴ２３のＮＯ）、ＣＰＵ１１は、発注数がエラーであることを示す警告をディスプレイ１７に表示させて、オペレータに注意を喚起する（ＳＴ２７）。
【００３０】
次いで、ＣＰＵ１１は、確認キーが入力されるのを待機する（ＳＴ２８）。確認キーが入力されたならば、ＣＰＵ１１は、上記警告を消去する（ＳＴ２９）。さらに、ＣＰＵ１１は、発注商品メモリ２４の商品データをクリアして（ＳＴ２６）、ステップＳＴ７またはＳＴ８の入力待機処理に戻る。このとき、ＣＰＵ１１は、商品名の表示を消去する。
【００３１】
ＣＰＵ１１は、商品コードが入力される毎に（ＳＴ８のＹＥＳ）、ステップＳＴ９の商品発注データ作成処理を実行する。すなわちＣＰＵ１１は、商品コードで特定される商品のデータを商品データベース７から読み込み、発注数メモリ２３の発注数Ｎが当該商品の発注条件を満足するか否かを判定する。そして、満足する場合には、当該商品の商品コードと発注数Ｎとを対応付けて商品発注データを作成し、発注バッファ２１に保存する。
【００３２】
その後、キーボード１４の解除キーが押下されると、ＣＰＵ１１は、連続発注モードの終了宣言有りとみなす。連続発注モードの終了が宣言されると（ＳＴ７のＹＥＳ）、ＣＰＵ１１は、発注バッファ２１に商品発注データが保存されているか否かを判断する（ＳＴ１０）。そして、商品発注データが保存されていたならば（ＳＴ１０のＹＥＳ）、ＣＰＵ１１は、この発注バッファ２１内の商品発注データをまとめてデータファイル化し、無線部１６を介して本部サーバ宛に無線送信する（ＳＴ１１：発注データ出力手段）。こうして、無線送信された商品発注データのファイルは、無線基地局５及びルータ４を経由して本部サーバに送信されて、発注が行われる。
【００３３】
発注バッファ２１に商品発注データが保存されていない場合には（ＳＴ１０のＮＯ）、前記ステップＳＴ１１の処理は行わない。  
その後、ＣＰＵ１１は、発注数メモリ２３をクリアして、発注数の表示を消去する（ＳＴ１２）。またＣＰＵ１１は、フラグ領域２２の連続発注フラグＦを“０”にリセットして（ＳＴ１３）、連続発注モードを解除する。
【００３４】
なお、発注数の置数入力を待機している状態において（ＳＴ３）、キーボード１４の解除キーが押下された場合には、ＣＰＵ１１は、ステップＳＴ１３の処理に進む。すなわちＣＰＵ１１は、フラグ領域２２の連続発注フラグＦを“０”にリセットして（ＳＴ１３）、連続発注モードを解除する。
【００３５】
このように構成された本実施形態の店舗システムが構築された店舗では、発注担当の店員は、発注端末１０を持って売場や倉庫へ出向き、発注作業を行う。このとき、発注数が同一の商品を複数発注する場合には、先ず、店員はキーボード１４の宣言キーを押下して、連続発注モードを選択する。次いで、店員は各商品で共通の発注数をテンキーで置数する。その後、店員はこの発注数で発注する商品の商品コードを１品ずつ連続して入力する。そして、この商品コードの連続入力を終えたならば、店員は解除キーを押下して、連続発注モードの解除を指令する。そうすると、連続入力された各商品コードに、それぞれ事前に入力された発注数が対応付けられた商品発注データが作成され、このデータが無線通信を利用して本部サーバに送信されて、商品の発注が行われる。
【００３６】
このように、従来は、発注商品毎に商品識別子と発注数とを交互に入力しなければならなかったが、本実施形態では、連続発注モードを使用することによって商品毎の発注数入力が省略されるので、商品発注業務を簡素化でき、処理時間の短縮を図ることができる。また、発注数の誤入力も未然に防止できる。
【００３７】
以下、その他の実施形態について説明する。  
例えば、前記実施形態では、連続発注モードにおいて、最初に発注数Ｎを入力し、後からこの発注数Ｎで発注する複数の商品の商品コードを連続して入力したが、先に共通の発注数で発注する複数商品の商品コードを連続して入力し、後から発注数が入力されると、連続発注モードを解除して商品発注データを作成するようにしてもよい。
【００３８】
また、前記実施形態では、発注数の入力を必須としたが、発注数のデフォルト値として例えば“１”を設定し、このデフォルト値“１”については、発注数の入力を省略できるようにしてもよい。
【００３９】
また、前記実施形態では、連続発注モードを解除するためのキー（解除キー）を設けたが、キーボード１４のいずれかのキーが操作されたならば、連続発注モードの解除が指令されたとみなして、ステップＳＴ１０〜ＳＴ１３の処理を実行するようにしてもよい。こうすることにより、解除キーを不要にできる。
【００４０】
また、解除キーを不要にした場合において、テンキーによって数値データｎが置数された場合には、ステップＳＴ１０〜ＳＴ１２の処理を実行した後、ステップＳＴ５の処理に進むようにしてもよい。こうすることにより、第１の発注数で１回目の連続発注処理を行った後に、続けて別の第２の発注数で２回目の連続発注処理を行う場合に、２回目からは宣言キーの入力を省略できるようになる。
【００４１】
さらに、前記実施形態は、装置内部のＲＯＭ１２に発明の機能を実現させる制御プログラムが予め記録されているものとした。しかしこれに限らず、同様のプログラムがネットワークから装置にダウンロードされてもよい。あるいは、記録媒体に記録された同様のプログラムが、装置にインストールされてもよい。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００４２】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下に、本願出願の当初の特許請求の範囲に記載された発明を付記する。  
［１］商品発注数を記憶する発注数記憶手段と、発注商品を特定する商品識別子の入力を受付ける発注商品受付手段と、前記商品識別子の入力受付終了を判定する終了判定手段と、前記商品識別子の入力受付開始から前記終了判定手段により入力受付終了と判定されるまでの間に前記発注商品受付手段で入力を受付けた複数の商品識別子にそれぞれ前記発注数記憶手段で記憶する商品発注数を対応付けて、前記発注商品毎の発注データを作成する発注データ作成手段とを具備したことを特徴とする発注装置。
［２］商品発注数の入力を受付ける発注数受付手段と、前記発注数記憶手段で記憶する商品発注数を、前記発注数受付手段で入力を受付けた商品発注数に更新する発注数更新手段とをさらに具備し、前記発注数更新手段により前記商品発注数が更新されたことに応じて前記商品識別子の入力受付を開始することを特徴とする［１］記載の発注装置。
［３］前記発注数記憶手段で記憶する商品発注数が、前記発注商品受付手段により入力を受付けた商品識別子で特定される発注商品に対して設定された発注数の条件を満足するか否かを判定する条件判定手段をさらに具備し、前記条件を満足する場合に、前記発注データ作成手段により前記発注商品の発注データを作成することを特徴とする［１］または［２］記載の発注装置。
［４］前記条件は、１回の発注で許容される最大の発注数または最小の発注数の少なくとも一方であることを特徴とする［３］記載の発注装置。
［５］前記発注データ作成手段により作成された発注商品毎の発注データをまとめて外部へ出力する発注データ出力手段をさらに具備したことを特徴とする［１］乃至［４］のうちいずれか１記載の発注装置。
［６］商品発注数を記憶する発注数記憶手段を備えたコンピュータに、発注商品を特定する商品識別子の入力を受付ける機能と、前記商品識別子の入力受付終了を判定する機能と、前記商品識別子の入力受付開始から入力受付終了までの間に入力を受付けた複数の商品識別子にそれぞれ前記発注数記憶手段で記憶する商品発注数を対応付けて、前記発注商品毎の発注データを作成する機能と、を実現させるための発注プログラム。
【符号の説明】
【００４３】
２…ストアサーバ、５…無線基地局、７…商品データベース、１０…発注端末、１１…ＣＰＵ、１４…キーボード、１５…スキャナ、１６…無線部、１７…ディスプレイ、２１…発注バッファ、２３…発注数メモリ、２４…発注商品メモリ。
【図１】
0005308484.tif 000002
【図２】
0005308484.tif 000003
【図３】
0005308484.tif 000004
【図４】
0005308484.tif 000005
【図５】
0005308484.tif 000006
【図６】
0005308484.tif 000007